【手続補正書】
【提出日】平成19年6月5日(2007.6.5)
【手続補正１】
【補正対象書類名】明細書
【補正対象項目名】特許請求の範囲
【補正方法】変更
【補正の内容】
【特許請求の範囲】
【請求項１】  ページ単位でデータを入力する入力手段と、
前記入力手段で入力したデータに基づき電子メール形式のデータを生成する生成手段と、
前記生成手段で生成した電子メール形式のデータのデータ量が所定量を超えるかどうか判定する判定手段と、
前記判定手段で超えると判定した場合に電子メール形式のデータを、前記所定量を超えないページの区切りで分割し、区切られたページ以降から新たに電子メール形式のデータを生成する分割手段と、
前記分割手段で生成された電子メール形式のデータを送信する送信手段とを有することを特徴とするデータ通信装置。
【請求項２】  前記入力手段は原稿画像を読み取るリーダからの画像データを入力することを特徴とする請求項１に記載のデータ通信装置。
【請求項３】  前記生成手段及び前記分割手段は前記入力手段で入力したデータを添付ファイルとして電子メール形式のデータを生成することを特徴とする請求項１または２に記載のデータ通信装置。
【請求項４】  前記入力手段はページ単位でデータを入力し、前記判定手段で所定量を超えると判定した場合、１ページ分のデータを省き、このページ以降のデータを前記分割手段により新たに生成することを特徴とする請求項１乃至３のいずれかに記載のデータ通信装置。
【請求項５】  前記分割手段は前記入力手段によるデータ入力完了後に電子メール形式のデータを生成し、前記分割手段で生成された電子メール形式のデータには総分割数が含まれることを特徴とする請求項１乃至４のいずれかに記載のデータ通信装置。
【請求項６】  前記入力手段はページ単位でデータを入力し、前記判定手段で１ページ分に基づくデータ量が所定量を超えると判定した場合はそのデータは前記送信手段で送信しないことを特徴とする請求項１乃至５のいずれかに記載のデータ通信装置。
【請求項７】  前記送信手段は、前記判定手段で１ページ分に基づくデータ量が所定量を超えると判定してもユーザの指定に応じて送信することを特徴とする請求項６に記載のデータ通信装置。
【請求項８】  データを入力する入力手段と、
前記入力手段で入力したデータに基づき電子メール形式のデータを生成する生成手段と、
前記生成手段で生成した電子メール形式のデータのデータ量が所定量を超えるかどうか判定する判定手段と、
前記判定手段で超えると判定した場合に前記入力手段で入力したデータのデータ量を減少させるよう変換し新たに電子メール形式のデータを生成する変換手段と、
前記変換手段で生成された電子メール形式のデータを送信する送信手段とを有することを特徴とするデータ通信装置。
【請求項９】  前記生成手段及び前記変換手段は前記入力手段で入力したデータを添付ファイルとして電子メール形式のデータを生成することを特徴とする請求項８に記載のデータ通信装置。
【請求項１０】  前記入力手段は画像を表す画像データを入力することを特徴とする請求項８または９に記載のデータ通信装置。
【請求項１１】  前記変換手段は前記入力手段で入力した画像データの解像度を粗く変換することを特徴とする請求項１０に記載のデータ通信装置。
【請求項１２】  さらに、前記変換手段により解像度を粗くする場合に下限値を設定する設定手段を有し、前記変換手段で変換した画像データの解像度が前記設定手段で設定した解像度を下回る場合、前記送信手段による送信を行わないことを特徴とする請求項１１に記載のデータ通信装置。
【請求項１３】  さらに、前記変換手段により解像度を粗くする場合に下限値を設定する設定手段と、前記変換手段で変換した画像データの解像度が前記設定手段で設定した解像度を下回る場合、異なる送信方法を提示する提示手段とを有することを特徴とする請求項１１に記載のデータ通信装置。
【請求項１４】  さらに、前記変換手段による変換が行われた場合、その旨を示す情報を出力することを特徴とする請求項８乃至１３のいずれかに記載のデータ通信装置。
【請求項１５】  ページ単位でデータを入力する入力工程と、
前記入力工程で入力したデータに基づき電子メール形式のデータを生成する生成工程と、
前記生成工程で生成した電子メール形式のデータのデータ量が所定量を超えるかどうか判定する判定工程と、
前記判定工程で超えると判定した場合に電子メール形式のデータを、前記所定量を超えないページの区切りで分割し、区切られたページ以降から新たに電子メール形式のデータを生成する分割工程と、
前記分割工程で生成された電子メール形式のデータを送信させる送信工程とを有することを特徴とするデータ通信方法。
【請求項１６】  データを入力する入力工程と、
前記入力工程で入力したデータに基づき電子メール形式のデータを生成する生成工程と、
前記生成工程で生成した電子メール形式のデータのデータ量が所定量を超えるかどうか判定する判定工程と、
前記判定工程で超えると判定した場合に前記入力工程で入力したデータのデータ量を減少させるよう変換し新たに電子メール形式のデータを生成する変換工程と、
前記変換工程で生成された電子メール形式のデータを送信させる送信工程とを有することを特徴とするデータ通信方法。
【請求項１７】  コンピュータにより読取可能なプログラムを記憶したコンピュータ可読記憶媒体であって、
前記プログラムが、
ページ単位でデータを入力する入力工程と、
前記入力工程で入力したデータに基づき電子メール形式のデータを生成する生成工程と、
前記生成工程で生成した電子メール形式のデータのデータ量が所定量を超えるかどうか判定する判定工程と、
前記判定工程で超えると判定した場合に電子メール形式のデータを、前記所定量を超えないページの区切りで分割し、区切られたページ以降から新たに電子メール形式のデータを生成する分割工程と、
前記分割工程で生成された電子メール形式のデータを送信させる送信工程とを有することを特徴とするコンピュータ可読記憶媒体。
【請求項１８】  コンピュータにより読取可能なプログラムを記憶したコンピュータ可読記憶媒体であって、
前記プログラムが、
データを入力する入力工程と、
前記入力工程で入力したデータに基づき電子メール形式のデータを生成する生成工程と、
前記生成工程で生成した電子メール形式のデータのデータ量が所定量を超えるかどうか判定する判定工程と、
前記判定工程で超えると判定した場合に前記入力工程で入力したデータのデータ量を減少させるよう変換し新たに電子メール形式のデータを生成する変換工程と、
前記変換工程で生成された電子メール形式のデータを送信させる送信工程とを有することを特徴とするコンピュータ可読記憶媒体。
【手続補正２】
【補正対象書類名】明細書
【補正対象項目名】００１１
【補正方法】変更
【補正の内容】
【００１１】
即ち、ページ単位でデータを入力する入力手段と、前記入力手段で入力したデータに基づき電子メール形式のデータを生成する生成手段と、前記生成手段で生成した電子メール形式のデータのデータ量が所定量を超えるかどうか判定する判定手段と、前記判定手段で超えると判定した場合に電子メール形式のデータを、前記所定量を超えないページの区切りで分割し、区切られたページ以降から新たに電子メール形式のデータを生成する分割手段と、前記分割手段で生成された電子メール形式のデータを送信する送信手段とを有する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
また、データを入力する入力手段と、前記入力手段で入力したデータに基づき電子メール形式のデータを生成する生成手段と、前記生成手段で生成した電子メール形式のデータのデータ量が所定量を超えるかどうか判定する判定手段と、前記判定手段で超えると判定した場合に前記入力手段で入力したデータのデータ量を減少させるよう変換し新たに電子メール形式のデータを生成する変換手段と、前記変換手段で生成された電子メール形式のデータを送信する送信手段とを有する。
【手続補正５】
【補正対象書類名】明細書
【補正対象項目名】００１４
【補正方法】削除
【補正の内容】